(57)【要約】【課題】浴槽用操作装置の操作部本体の浴槽フランジへの取り付部における水密性を改善するとともに、操作部本体を浴槽フランジへ簡単に取り付けることのできる簡単な取り付け構造を実現する。【解決手段】浴槽フランジ７の貫通孔２７に上側から嵌め込まれる固定部材２８と、固定部材２８に浴槽フランジ７下側からシール部材を介して嵌め込まれる操作部本体１０と、浴槽フランジ７の間にシール材を介装し、固定部材２８を締め付けて固定部材２８と操作部本体１０とを浴槽フランジ７に固定する締め付け部材２９とを備え、固定部材２８は、外面にネジが形成され締め付け部材２９で締め付けられる円筒形状ネジ部４３と、ネジ部４３の下方に位置し周方向に交互に形成されている切り欠き部３２と係合片部５０を備えており、操作部本体１０は、切り欠き部３２に嵌め合わされる係合凸部３１が形成されている。【選択図】図２
2007063783.tif 000002
【特許請求の範囲】
【請求項１】
浴槽フランジの貫通孔に上側から嵌め込まれる固定部材と、該固定部材に浴槽フランジ下側から嵌め込まれる操作部本体と、前記固定部材に締め付けられて該固定部材と前記操作部本体とを前記浴槽フランジに固定する締め付け部材とからなる浴槽用操作装置であって、
前記固定部材は、外面にネジが形成され前記締め付け部材で締め付けられる円筒形状ネジ部と、該ネジ部の下方に位置し周方向に交互に形成されている切り欠き部と係合片部を備えており、
前記操作部本体は、前記切り欠き部に嵌め合わされる係合凸部を備えていることを特徴とする浴槽用操作装置。
【請求項２】
請求項１記載の浴槽用操作装置であって、前記切り欠き部と前記係合凸部との嵌め合いを保持するストッパ部材を備えていることを特徴とする浴槽用操作装置。
【請求項３】
請求項１または２記載の浴槽用操作装置であって、前記締め付け部材と浴槽フランジとの水密性を確保するシール部材を備えていることを特徴とする浴槽用操作装置。
【請求項４】
請求項１から３のいずれかに記載の浴槽用操作装置であって、前記操作部本体は、前記固定部材に嵌め込まれる円筒部と、該円筒部の上面に、浴槽フランジの上面に露出する操作面とを備え、前記円筒部の外周面と前記固定部材の内周面の水密性を確保するシール部材を備えていることを特徴とする浴槽用操作装置。
【発明の詳細な説明】
【技術分野】
【０００１】
本発明は、浴槽の自動排水栓を開閉操作するために浴槽フランジに取り付けられる浴槽用操作装置に関する。
【背景技術】
【０００２】
従来、浴槽の自動排水栓を開閉操作するために浴槽フランジに取り付けられる浴槽用操作装置は知られている（特許文献１、２参照）。この特許文献１記載の発明は、本願出願人の出願に係る発明であり、浴槽フランジの貫通孔に上方から枠を挿通し、この枠内に浴槽フランジの下方から操作装置のケースを螺合装着し、コイルバネで枠を浴槽フランジの上面に押しつけるようにして、操作装置を浴槽フランジに固定する構成を示している。
【０００３】
また、浴槽フランジに嵌入して取り付けられたガイド筒の内部に、押しボタンが操作軸を介して押し下げ自在に支持されている点は、公知である（特許文献３参照）。そして、浴槽フランジに取り付けられたケース内の下部に、防水用のＯリングをそれぞれ介して、カバー及びＯリング押さえが装着されて水密構造とされた構成は公知である（特許文献４参照）。
【０００４】
さらに、浴槽フランジに取り付けられた外ケース内に、操作受部材と、手動操作部と、電動操作部を備えた構成は公知である（特許文献５参照）。そして、継ぎ手のストッパは周知である（特許文献６、７参照）。
【０００５】
【特許文献１】特開２００２−１６７８３０号公報
【特許文献２】特開２００２−１８８１９７号公報
【特許文献３】特許第３１８４９１６号公報
【特許文献４】特開２００１−３１１１９６号公報
【特許文献５】特開２００３−０４９４６４号公報
【特許文献６】特開２００３−０２１２８７号公報
【特許文献７】特開平０６−１７４１６６号公報
【発明の開示】
【発明が解決しようとする課題】
【０００６】
従来の浴槽用操作装置では、浴槽の内部から溢れ出したり、飛散したりする水が、浴槽フランジの取り付け部から浴槽フランジ裏面に侵入し、浴槽の下部が不衛生になる等の問題があった。また、操作部本体の浴槽フランジへの取り付けは、浴槽フランジの下方から取り付けなくてはならない等の理由で取り付け作業が面倒であるので、これを解決できる取り付け構造及び取り付け作業が簡単であることが望まれている。
【０００７】
例えば、特許文献１〜３、５記載のものでは、取付構造上、操作部本体の取り付け部のシールはしにくく、また、特許文献１、２では、取付構造自体もコイルバネ等を利用しなくてはならず複雑となってしまう。特許文献４は、Ｏリングによるシール構造が示されているが、浴槽フランジへの取り付部のシールではなく排水栓のケース下部の駆動装置におけるシールである。
【０００８】
本発明は、上記従来の問題を解決することを目的とし、操作部本体の浴槽フランジへの取り付け部における水密性を改善するとともに、操作部本体を浴槽フランジへ簡単に取り付けることのできる簡単な取り付け構造を実現することである。
【課題を解決するための手段】
【０００９】
本発明は上記課題を解決するために、浴槽フランジの貫通孔に上側から嵌め込まれる固定部材と、該固定部材に浴槽フランジ下側から嵌め込まれる操作部本体と、前記固定部材に締め付けられて該固定部材と前記操作部本体とを前記浴槽フランジに固定する締め付け部材とからなる浴槽用操作装置であって、前記固定部材は、外面にネジが形成され前記締め付け部材で締め付けられる円筒形状ネジ部と、該ネジ部の下方に位置し周方向に交互に形成されている切り欠き部と係合片部を備えており、前記操作部本体は、前記切り欠き部に嵌め合わされる係合凸部を備えていることを特徴とする浴槽用操作装置を提供する。
【００１０】
上記浴槽用操作装置において、前記切り欠き部と前記係合凸部との嵌め合いを保持するストッパ部材を備えている構成としてもよい。
【００１１】
上記浴槽用操作装置において、締め付け部材と浴槽フランジとの水密性を確保するシール部材を備えている構成としてもよい。
【００１２】
上記浴槽用操作装置において、操作部本体は、固定部材に嵌め込まれる円筒部と、該円筒部の上面に、浴槽フランジの上面に露出する操作面とを備え、円筒部の外周面と固定部材の内周面の水密性を確保するシール部材を備えている構成としてもよい。
【発明の効果】
【００１３】
本発明に係る浴槽用操作装置によれば、次のような顕著な効果が生じる。
（１）操作部本体の浴槽フランジへの取り付け構造では、浴槽フランジの貫通孔に上側から嵌め込まれる固定部材に操作部本体を浴槽フランジの下方から嵌め込んだ状態で、締め付け部材で固定部材を締め付けて固定部材と操作部本体とを浴槽フランジに固定可能な構成としたので、その構造及び取り付け作業はきわめて簡単となる。この場合、操作部本体の係合凸部と固定部材の切り欠き部が嵌め合わされて互いに係合する構成としたので、これが回り止めとなって、操作部本体を把持していれば、締め付け部材を固定部材のネジ部にねじ込んでも固定部材が空廻りするようなことがない。
【００１４】
（２）締め付け部材と浴槽フランジの間は、シール部材でシールしたので、この間の水密性を確保でき、さらに、固定部材と操作部本体の円筒部との間をシール部材でシールしたので、固定部材のフランジの内側から入り、固定部材と操作部本体の円筒部との間に入り込もうとする水は、その侵入が防止される、操作部本体の浴槽フランジへの取り付け部における安定的な水密性が確保できる。
【発明を実施するための最良の形態】
【００１５】
本発明に係る浴槽用操作装置を実施するための最良の形態を実施例に基づき図面を参照して、以下説明する。
【実施例】
【００１６】
（全体構成）
図１（ａ）は、本発明に係る浴槽用操作装置１と浴槽２の排水栓３との関係を全体的に説明する図である。浴槽２の底４の排水口５に、排水栓３が取り付けられている。この排水栓３は、ワイヤ６の軸線方向の動作により、上下して開閉可能である。ワイヤ６は、本発明に係る浴槽用操作装置１の後記するスライド軸に結合されている。
【００１７】
浴槽用操作装置１は、浴槽フランジ７に取り付けられており、その上部に設けられた操作ボタン８を使用者が押圧操作することによりスライド軸をその軸方向に動かすことができ、これによりワイヤ６を軸線方向に動作させ、排水栓３を開閉することができる。浴槽用操作装置１には、信号線９が接続され、給湯器本体（図示せず）からの電源供給を受けるとともに、給湯器本体からの制御信号を受信する一方、給湯器本体へ状態信号を送信する。
【００１８】
図２は、浴槽用操作装置１の全体構成を示す断面図である、浴槽用操作装置１は、操作部本体１０を有する。この操作部本体１０は、互いにボルト１１で締結されて一体的なケースを構成する上部ケース１２と下部ケース１３を備えている。下部ケース１３内には、直動機構１４が設けられている。直動機構１４の構造については、特許文献１（特開平２００２−１６７８３０号公報）で開示されているものと同じであるから、ここでは簡単に説明する。
【００１９】
直動機構１４は、ステッピングモータ１５とスライド軸１６とを備えている。スライド軸１６は、その上端側の部分はステッピングモータ１５の回転部１７と螺合するネジ部１８を有し、下端側はステッピングモータ１５の下部に当接して設けたカップ１９内を通り、さらに下方に伸びるように配置されている。ステッピングモータ１５が回転すると、スライド軸１６がその軸方向に可動な構成となっている。
【００２０】
そして、スライド軸１６の下端側にマグネット２０が固定され、カップ１９の内周面の上下所要位置に対して、ホール素子等の近接センサ２１、２２が設けられている。これにより、スライド軸１６の上下方向の移動位置が検知され、その移動の開始及び停止位置が決められる。スライド軸１６の下端部は、カップリング２３によってワイヤ６に接続されており、スライド軸１６の動作によって、ワイヤ６が軸方向へ可動である。
【００２１】
上部ケース１２内には、制御回路基板２４が設けられている。この制御回路基板２４には、操作ボタン８の操作により開閉するスイッチ２５が設けられ、このスイッチ２５で信号線２６を介してステッピングモータ１５の動作を制御するように構成されている。なお、前記のとおり、この制御回路基板２４には、信号線９が接続され、給湯器本体からの電源供給を受けるとともに、給湯器本体からの制御信号を受信する一方、給湯器本体へ状態信号を送信する。
【００２２】
（取付構造）
以上が浴槽用操作装置１の特に操作部本体１０の全体構造であるが、本発明に係る浴槽用操作装置１は、この操作部本体１０を浴槽フランジ７へ、簡単、且つ、水密的に取り付ける取付構造に特徴を有する。この取付構造を以下に説明する。
【００２３】
図３は、浴槽用操作装置１において、その操作部本体１０を浴槽フランジ７へ取り付けるための構成を説明する図であり、取付構造の分解斜視図である。浴槽用操作装置１は、図３に示すように、浴槽フランジ７の貫通孔２７（浴槽用操作装置１の取付孔）に上側から嵌め込まれるほぼ筒状の固定部材２８と、この固定部材２８に下側から螺着して締め付ける締め付け部材２９とを備えている。
【００２４】
固定部材２８に操作部本体１０を浴槽フランジ７の下側から嵌め込んだ状態において、締め付け部材２９で固定部材２８を締め付けることで、固定部材２８と操作部本体１０とを浴槽フランジ７に固定可能な構成となっている。
【００２５】
図４は、固定部材２８が嵌め込まれる操作部本体１０の上部ケース１２の構成を説明する図である。図３及び図４に示すように、上部ケース１２は、固定部材２８内に嵌め込まれる円筒部３０を有している。この円筒部３０の下部外面には、その円周方向に等間隔をおいて複数の係合凸部３１が形成されている。
【００２６】
この係合凸部３１は、後記する固定部材２８の切り欠き部３２と係合し、固定部材２８に締め付け部材２９であるナットを螺着する際の回り止めを行う。また、この係合凸部３１の外面には、周方向に溝３３が形成されており、この溝３３には、図４（ｄ）に示すようなストッパ部材３４が嵌着可能である。ストッパ部材３４は、弾性を有する鋼材等の素材から形成する。
【００２７】
円筒部３０の内側には、図４（ｂ）、（ｃ）に示すように、円筒部３０と同芯的に操作ボタン８のガイド筒３５が形成されている。このガイド筒３５の上端には、図２に示すように操作ボタン８の操作面３６が表出される。円筒部３０のさらに下方には、円筒段部３７が連続的に形成され、円周方向の４箇所に下部ケース１３と固定するためのネジ固定部３８が放射方向に張り出すように形成されている。
【００２８】
円筒部３０の上端部の外周面には、環状溝３９が形成され、この環状溝３９にはシール部材としてＯリング４０が装着されている。このＯリング４０は、円筒部３０の外周面と固定部材２８の内周面との間の水密性を確保するシール機能を有するものである。
【００２９】
円筒部３０の内側であってガイド筒３５の外側の間に、透光孔４１が形成されている。この透光孔４１を通して、制御回路基板２４に取り付けられたＬＥＤ４２からの光を浴槽フランジの上方に出光する。このＬＥＤ４２は、排水栓３の開閉状態を表示するものである。
【００３０】
図５は、固定部材２８の構成を示す図である。この固定部材２８は、図５（ｂ）に示すように円筒形状のネジ部４３を有する。この円筒形状のネジ部４３は、円筒体４４の外周面にネジ４５が形成されてなる構造である。固定部材２８の上端には、図３、図５（ａ）〜（ｃ）に示すようにフランジ４６が形成されており、このフランジ４６は、シール部材としての平パッキン４７（図３参照）を介して浴槽フランジ７の上面に定置される。
【００３１】
固定部材２８のフランジ４６の内周縁には、位置決め表示用の一対の凹部４８が形成されている。この一対の凹部４８は、固定部材２８の下部に設けられた切り欠き部３２に対応した周方向の位置（または後記する係合片部５０に対応した位置でもよい。）に形成されている。一対の凹部４８は、固定部材２８を浴槽フランジ７の貫通孔２７に上側から挿入してから、浴槽フランジ７の下方から固定部材２８に円筒部３０を挿入する際の目印となる。
【００３２】
フランジ４６には、図１（ｂ）、図３に示すような、ドーナッツ状のキャップ４９が嵌着されている。このキャップ４９は、耐蝕性を有するステンレス、樹脂等の素材で形成される。
【００３３】
固定部材２８の下部には、図３、図５（ｂ）、（ｃ）に示すように、切り欠き部３２と係合片部５０が、周方向に互いに交互に形成されている。切り欠き部３２には、上部ケース１２の係合凸部３１が嵌め合わされて係合する。係合片部５０の外面には、図３、図５（ｂ）、（ｄ）に示すように、ストッパ部材３４が嵌着できる溝５１が形成されている。
【００３４】
固定部材２８の切り欠き部３２に係合凸部３１が嵌められた際に、係合片部５０の溝は、係合凸部の溝３３と整列して環状溝が形成され、この環状溝にストッパ部材３４が嵌着可能となる。これにより、切り欠き部３２と係合凸部３１との嵌め合いを保持することができる。
【００３５】
締め付け部材２９は、上端にフランジを有するナットが利用される。浴槽フランジ７の貫通孔２７に、上側から固定部材２８嵌め込まれた状態で、ネジ部４３に下側から締め付け部材２９が螺着される。この場合、締め付け部材２９は、図２、３に示すように、平パッキン５２及びすべらし板５３を介して浴槽フランジ７の下面に当接するように、下側から螺着して固定部材２８を締め付ける。
【００３６】
（取付工程、作用）
以上の構成から成る浴槽用操作装置１において、その操作部本体１０を浴槽フランジ７へ取り付ける取付工程を以下に説明する。図３において、平パッキン４７を固定部材２８に下側から嵌めた状態で、固定部材２８を浴槽フランジ７の貫通孔２７に上側から嵌め込む。すると、固定部材２８は、そのフランジ４６は浴槽フランジ７の上面に平パッキン４７を介して当接するが、そのネジ部４３及び係合片部５０は浴槽フランジ７の下側に挿通された状態となる。
【００３７】
この後、操作部本体１０における上部ケース１２の円筒部３０の溝にＯリング４０を装着する。さらに、円筒部３０に、締め付け部材２９、すべらし板５３、平パッキン５２を順次嵌める。その後、円筒部３０を、浴槽フランジ７の下側から固定部材２８のネジ部４３内に、円筒部３０を嵌め込む。その際、係合凸部３１が固定部材２８の切り欠き部３２内に係合（係入）するようにする。そして、スイッチ操作ボタン８の操作面３６が浴槽フランジ７の上面の位置に露出するまで挿入する。
【００３８】
この場合、固定部材２８のフランジ４６の内周縁に形成された一対の凹部４８を目印として、この一対の凹部４８に円筒部３０の係合凸部３１を合わせるように、固定部材２８のネジ部４３内に円筒部３０を挿入すると、円筒部３０の係合凸部３１が固定部材２８の切り欠き部３２内に容易に係合させることができる。
【００３９】
しかも、一対の凹部４８を予め所望の方向になるように固定部材２８を浴槽フランジ７の貫通孔２７内に上側から嵌め込み、これを目印として固定部内に円筒部３０を挿入すれば、操作部本体１０を円周方向に所望の角度（例えば、信号線が浴槽２の内部（槽部）と反対側に来る等の角度等）で取り付けることができる。
【００４０】
このように円筒部３０を固定部材２８に挿入した状態で、ネジ部４３のネジ４５に螺合した締め付け部材２９をさらにネジ４５にねじ込み、円筒部３０を外側から締め付けながら、締め付け部材２９のフランジ上面で平パッキン５２及びすべらし板５３を浴槽フランジ７の下面に当接するまで締着する。
【００４１】
この場合、円筒部３０の係合凸部３１と固定部材２８の切り欠き部３２が互いに係合しているので、これが回り止めとなって、操作部本体１０を把持していれば、締め付け部材２９を固定部材２８のネジ部４３のネジ４５にねじ込んでも固定部材２８が空廻りするようなことはない。
【００４２】
また、円筒部３０の係合凸部３１が固定部材２８の切り欠き部３２と係合し、係合片部５０の溝５１と係合凸部３１の溝３３が合って１本の環状溝となる。この環状溝にストッパ部材３４を嵌めると、固定部材２８の切り欠き部３２と円筒部３０の係合凸部３１が互いに係合した状態で抜け止めとなり、円筒部３０が固定部に嵌合されている状態を保持することができる。さらに、キャップ４９を固定部材２８のフランジ４６に嵌着すれば、組立工程が完了する。
【００４３】
本発明に係る浴槽用操作装置１では、固定部材２８のフランジ４６と浴槽フランジ７の上面との間に平パッキン４７を介装したので、固定部材２８のフランジ４６と浴槽フランジ７の上面隙間から貫通孔２７と固定部材２８との間を通過して下方に入り込もうとする水は阻止される。
【００４４】
又、本発明に係る浴槽用操作装置１では、円筒部３０の外面にシール部材としてＯリング４０を装着し、固定部材２８と円筒部３０との間を水密的にシールしたので、固定部材２８のフランジ４６の内側から入り、固定部材２８と円筒部３０との間に入り込もうとする水は、その侵入が防止される。  
【００４５】
以上、本発明に係る浴槽用操作装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
以上、本発明に係る浴槽用操作装置１を説明したが、このような構成の浴槽の自動水栓の開閉用の操作装置としてだけでなく、その他の自動排水栓を利用する水槽等のフランジに水密的に取り付けられる操作装置にも適用可能である。
【図面の簡単な説明】
【００４７】
【図１】（ａ）本発明に係る浴槽用操作装置を適用した浴槽の全体構成を示す図であり、（ｂ）は本発明に係る浴槽用操作装置１の実施例のキャップの平面図（左側の図）及び側面図（右側の図）を示す。
【図２】本発明に係る浴槽用操作装置の実施例の全体構成を説明する図である。
【図３】本発明に係る浴槽用操作装置の実施例の操作部本体を浴槽用フランジに取り付ける取付構造の分解斜視図である。
【図４】（ａ）は本発明に係る浴槽用操作装置の操作部本体の上部ケースの平面図であり、（ｂ）及び（ｃ）は（ａ）のＡ−Ａ断面図及びＢ−Ｂ断面図であり、（ｄ）はストッパ部材の平面図（左側の図）及び側面図（右側の図）である。
【図５】（ａ）〜（ｄ）は、本発明の実施例の操作部本体の固定部材の上面図、Ａ−Ａ断面図、底面図及び要部拡大図である。
【符号の説明】
【００４８】
１  浴槽用操作装置                     
２  浴槽                               
３  排水栓                             
４  底                                 
５  排水口                             
６  ワイヤ                             
７  浴槽フランジ                       
８  操作ボタン                         
９、２６  信号線                             
１０  操作部本体                              
１１  ボルト                                  
１２  上部ケース                              
１３  下部ケース                              
１４  直動機構                                
１５  ステッピングモータ                      
１６  スライド軸                              
１７  ステッピングモータの回転部              
１８  スライド軸のネジ部                      
１９  カップ                                  
２０  マグネット                              
２１、２２  近接センサ                        
２３  カップリング                            
２４  制御回路基板                            
２５  スイッチ
２７  浴槽フランジの貫通孔                    
２８  固定部材                                
２９  締め付け部材                            
３０  上部ケースの円筒部                      
３１  上部ケースの係合凸部                    
３２  固定部材の切り欠き部                    
３３  係合凸部外面の溝                        
３４  ストッパ部材                            
３５  操作ボタンのガイド筒                    
３６  操作ボタンの操作面                      
３７  円筒部の円筒段部                      
３８  円筒部のネジ固定部                        
３９  円筒部の環状溝                          
４０  Ｏリング                                
４１  透光孔                                  
４２  ＬＥＤ                                  
４３  固定部材の円筒形状のネジ部              
４４  固定部材の円筒体                        
４５  固定部材のネジ                          
４６  固定部材のフランジ                      
４７  平パッキン                              
４８  固定部材のフランジの一対の凹部          
４９  キャップ                                
５０  係合片部                                
５１  係合片部の溝                            
５２  平パッキン                              
５３  すべらし板                                
【図１】
2007063783.tif 000003
【図２】
2007063783.tif 000004
【図３】
2007063783.tif 000005
【図４】
2007063783.tif 000006
【図５】
2007063783.tif 000007